(57)【要約】【課題】  手書きメモなどを用意することなく、撮影が必要な撮影対象を漏れなく撮影すること。【解決手段】  撮影対象毎に、撮影対象部位名を示すメニュー項目と撮影画像の保存フォルダ名とを撮影パターンとして複数組記憶した第１の記憶手段と、各組の撮影パターンにおける撮影対象部位毎の撮影画像の保存ファイル名を記憶した第２の記憶手段と、前記複数組の撮影パターンによる撮影モード選択時に、前記第１の記憶手段に記憶された複数組の撮影パターンを一覧表示し、その一覧表示中で選択された１組の撮影パターンにおける撮影部位名をビューアに表示する第１に手段と、表示された撮影部位名の撮影画像を前記第２の記憶手段に記憶された保存ファイル名で当該撮影パターンに対応する保存フォルダ名のフォルダに保存する第２の手段と、前記フォルダに保存された撮影画像を転送先の画像利用装置に転送する第３の手段とを備えることを特徴とする。【選択図】    図１
2007311879.tif 000002
【特許請求の範囲】
【請求項１】
撮影対象毎に、撮影対象部位名を示すメニュー項目と撮影画像の保存フォルダ名とを撮影パターンとして複数組記憶した第１の記憶手段と、各組の撮影パターンにおける撮影対象部位毎の撮影画像の保存ファイル名を記憶した第２の記憶手段と、前記複数組の撮影パターンによる撮影モード選択時に、前記第１の記憶手段に記憶された複数組の撮影パターンを一覧表示し、その一覧表示中で選択された１組の撮影パターンにおける撮影部位名をビューアに表示する第１に手段と、表示された撮影部位名の撮影画像を前記第２の記憶手段に記憶された保存ファイル名で当該撮影パターンに対応する保存フォルダ名のフォルダに保存する第２の手段と、前記フォルダに保存された撮影画像を転送先の画像利用装置に転送する第３の手段とを備えることを特徴とするデジタルカメラ。
【発明の詳細な説明】
【技術分野】
【０００１】
本発明は、デジタルカメラに係り、特に、ある特定の業務に利用して好適なるデジタルカメラに関するものである。
【背景技術】
【０００２】
近年、デジタルカメラが普及し、デジタルカメラで撮影した画像をホームページに登録することが広く行われている。
図５は、一般的な不動産会社のホームページ内でのマンション紹介ページの一例を示した図である。
このようなホームページの作成は、従来、デジタルカメラで撮影した画像をコンパクトフラッシュ(登録商標）等のメディア経由やUSBインタフェース経由等でパーソナルコンピュータに転送し、それをホームページ作成ソフト等でホームページに登録し作成している。
マンション紹介のホームページということであれば、それに必要な撮影対象は、全体像、リビング、台所、居間、寝室などといった具合に予め分かっており、撮影者はその撮影対象の名称を手書きメモなどに予め記録しておき、それにしたがって撮影するという作業を行っている。
なお、本発明に関連する公知技術文献としては下記の特許文献１がある。
【特許文献１】特開２０００−１７１８８６号公報
【発明の開示】
【発明が解決しようとする課題】
【０００３】
しかし、上述のように、撮影対象が予め分かっている特定の業務に利用する場合にも、手書きメモなどをその都度参照しながら撮影するのでは、撮影のたびに次に何を撮影すべきかをメモ等を見て確認したりしなければならず効率が悪いという問題があった。
また、撮影すべき画像のメモに記入漏れがあった場合にはユーザは撮影せずに、必要な画像が漏れるということになるという問題があった。
また、撮影した画像をコンピュータに転送する場合に、転送後にフォルダ等を決めなければならならず、ホームページに掲載するまでの作業効率が非常に悪いという問題があった。
【０００４】
本発明の目的は、手書きメモなどを用意することなく、撮影が必要な撮影対象を漏れなく撮影することができるデジタルカメラを提供することにある。
【課題を解決するための手段】
【０００５】
上記目的を達成するために、本発明に係るデジタルカメラは、撮影対象毎に、撮影対象部位名を示すメニュー項目と撮影画像の保存フォルダ名とを撮影パターンとして複数組記憶した第１の記憶手段と、各組の撮影パターンにおける撮影対象部位毎の撮影画像の保存ファイル名を記憶した第２の記憶手段と、前記複数組の撮影パターンによる撮影モード選択時に、前記第１の記憶手段に記憶された複数組の撮影パターンを一覧表示し、その一覧表示中で選択された１組の撮影パターンにおける撮影部位名をビューアに表示する第１に手段と、表示された撮影部位名の撮影画像を前記第２の記憶手段に記憶された保存ファイル名で当該撮影パターンに対応する保存フォルダ名のフォルダに保存する第２の手段と、前記フォルダに保存された撮影画像を転送先の画像利用装置に転送する第３の手段とを備えることを特徴とする。
【発明の効果】
【０００６】
本発明のデジタルカメラによれば、次のような効果がある。
（１）特定の業務に必要な画像を漏れなく撮影することができる。
（２）予め設定したフォルダに登録されるので、パーソナルコンピュータに転送後の管理が容易である。
【発明を実施するための最良の形態】
【０００７】
以下、本発明を適用したデジタルカメラの一実施の形態について説明する。
図１は、本発明に係るディジタルと撮影画像を利用するコンピュータの実施の形態の一例をブロック構成図である。
デジタルカメラ１は、メモリ１０上に特定の業務ごとに必要な画像の項目を設定した撮影パターンを管理する撮影パターン管理部１１、撮影パターンや撮影パターン内の項目のメニュー表示を制御するメニュー表示制御部１２、撮影画像保存処理部１３、画像転送部１４が記憶されている。
外部メモリ１５には、ユーザが予め登録した複数組の撮影パターン１６、各組の撮影パターンの撮影対象部位毎に対応ファイル名を設定したファイル名設定テーブル１７が記憶されている。
【０００８】
画像利用装置であるコンピュータ２は、本発明のデジタルカメラ１に接続するコンピュータの一例を示している。
メモリ２０には、デジタルカメラ１で利用する複数組の撮影パターン１６を作成する撮影パターン作成部２１と、デジタルカメラ１から転送される画像を管理する画像管理部２２が記憶されている。
ハードディスク３０には、ホームページ用フォルダ３１が登録されている。
撮影パターン作成部２１は、例えば、表計算プログラムで撮影パターンの構成要素を簡易に作成できるアプリケーションプログラムであれば良い。
【０００９】
図２は、外部メモリ１５に記憶される複数組の撮影パターン１６（図２（ａ））とファイル名設定テーブル１７（図２（ｂ））の詳細を示した図である。
図２（ａ）に示すように、複数組の撮影パターン１６は、各組の撮影パターンを一意に識別するためのＩＤ２０１と、デジタルカメラ１のビューアに表示するためのパターン名２０２、メニュー項目２０３、当該パターンで撮影されたファイルを保存するフォルダの名称であるフォルダ名２０４とから構成される。
ファイル名設定テーブル１７は、図２（ｂ）に示すように、各設定を一意に識別するためのＩＤ２１０、メニュー一覧に表示される日本語の項目名２１２、項目名に対応するファイル名２１３から構成される。項目名２１２は、各組の撮影パターンにおける撮影対象部位を示すものである。
【００１０】
図３は、本発明に係るデジタルカメラ１の撮影処理の流れを示したフローチャートである。
まず、デジタルカメラ１の電源を入れると、デジタルカメラ１は撮影モードを表示する（ステップ３０１）。ここで、撮影モードが撮影パターンモードに設定されている場合（ステップ３０２）、デジタルカメラ１の撮影パターン管理部１１は外部メモリ１５の撮影パターン１６に登録されている複数組の撮影パターンの全てを一覧にしてデジタルカメラ１の表示部(図示しない、通常のデジタルカメラに搭載される液晶ビューアなど)に表示する(ステップ３０３)。
【００１１】
ステップ３０３の撮影パターンの一覧表示例を示したのが図４（ａ）である。
図４（ａ）の４０１が撮影パターンの一覧である。ここでは、撮影パターン１６に登録されている複数組の撮影パターンとして「マンション１」と「マンション２」が表示されている。
そこで、表示されている撮影パターン一覧４０１からユーザがこれから利用する１組の撮影パターンを選択すると、メニュー表示制御部１２は当該撮影パターンとして設定されているメニュー項目（撮影対象部位）を表示部に表示する（ステップ３０４）。
ステップ３０４の撮影パターンのメニュー項目の表示例を示したのが図４の(ｂ)である。ここでは、一番上のメニュー強調表示する（斜線で図示）。この強調表示されている項目が現在撮影対象となっている部位になる。
【００１２】
各項目に対応する画像の撮影が完了すると、撮影画像保存処理部１３は予め撮影パターン１６に設定したフォルダ名２０４のフォルダ内に、フォルダ設定テーブル１７に設定されたファイル名で撮影画像を保存する(ステップ３０５)。
次に、全項目の撮影が完了したか判定する（ステップ３０６）。ここで、全項目の撮影が完了している場合にはメニュー表示制御部１２は完了メッセージを表示する(ステップ３０７)。
ステップ３０６で全項目の撮影が完了していないと判定した場合には、メニュー表示制御部１２は、撮影が完了した項目について、図４の(ｂ)の４０２の一番上の項目のように斜線表示して他の項目と表示態様を変えることにより撮影が完了したことがユーザにわかるようにする(ステップ３０８)。
【００１３】
撮影した画像は、デジタルカメラ１の外部メモリ１５内の撮影パターン１６で設定されたフォルダ名のフォルダに保存される。保存された画像は、デジタルカメラ１とコンピュータ２とをＵＳＢケーブルによって接続することにより、画像転送部１４と画像管理部２２との間の転送処理によってホームページ用フォルダに３１に登録される。
このように構成することで、特定の業務に関する撮影パターンを作成し、デジタルカメラに登録することで、撮影に必要な画像項目がわかり、円滑に撮影作業を行うことができる。また、撮影済みの項目がわかるので撮影漏れを防ぐことが可能である。
【００１４】
本発明のデジタルカメラを用いた場合、マンションなどを紹介する画像を撮影する利用形態に限らず、各種の工事現場の工事管理用の画像、各種の事故現場の画像などを撮影する場合に極めて有効なものとなる。
【図面の簡単な説明】
【００１５】
【図１】本発明の一実施の形態を示すブロック構成図である。
【図２】本発明に係るデジタルカメラの撮影パターンとファイル設定名テーブルのデータ構成図である。
【図３】本発明におけるデジタルカメラの撮影処理の流れを示したフローチャートである。
【図４】撮影パターンの表示例と撮影パターンの項目表示例を示した図である。
【図５】マンションを紹介するホームページの一例を示した図である。
【符号の説明】
【００１６】
１…デジタルカメラ、２…コンピュータ、１０…メモリ、１１…撮影パターン管理部、１２…メニュー表示制御部、１３…撮影画像保存処理部、１４…画像転送部、１５…外部メモリ、１６…撮影パターン、１７…ファイル名設定テーブル、２０…メモリ、２１…撮影パターン作成部、２２…画像管理部、３０…ハードディスク、３１…ホームページ用フォルダ。
【図１】
2007311879.tif 000003
【図２】
2007311879.tif 000004
【図３】
2007311879.tif 000005
【図４】
2007311879.tif 000006
【図５】
2007311879.tif 000007